(57)【特許請求の範囲】
【請求項１】
全てのチャネルに対して上り／下りの優先度関数を記憶する記憶手段と、前記上り／下りの優先度関数に基づいてチャネル割当てを行うとともに上り回線のチャネル割当て時には下り回線の同チャネルの優先度関数を更新し、下り回線のチャネル割当て時には上り回線の同チャネル優先度関数を更新するチャネル割当て手段とを具備し、前記チャネル割当て手段は、優先度関数を上げたチャネルの逆回線の同チャネルの優先度関数を下げ、優先度関数を下げたチャネルの逆回線の同チャネルの優先度関数を上げることを特徴とする基地局装置。
【請求項２】
チャネル割当て手段は、チャネルの上下回線を切り替える場合、切替えたチャネルの優先度関数を所定値に設定することを特徴とする請求項１記載の基地局装置。
【請求項３】
チャネル割当て手段は、所望波電力と干渉波電力の大小関係に基づいて優先度関数を更新することを特徴とする請求項１又は請求項２記載の基地局装置。
【請求項４】
チャネル割当て手段は、所望波電力の変動が小さく、且つ干渉波電力が増加している時に優先度関数を下げることを特徴とする請求項３記載の基地局装置。
【請求項５】
ＣＤＭＡ／ＴＤＤ通信方式にて無線通信を行う基地局装置であって、
各スロットの優先度関数を記憶する記憶手段と、前記各スロットの優先度関数に基づいて検索対象のスロットを選択するスロット選択手段と、前記選択されたスロットの伝搬路品質推定値に基づいてチャネル割当てを行うとともに前記優先度関数を更新するチャネル割当て手段とを具備し、チャネル割当て手段は、コード多重数が閾値以下のスロットの優先度関数を下げ、コード多重数が前記閾値より大きいスロットの優先度関数を上げることを特徴とする基地局装置。
【請求項６】
ＣＤＭＡ／ＴＤＤ通信方式にて無線通信を行う基地局装置であって、伝送レート毎の閾値と伝送レート毎の各スロットの優先度関数を記憶する記憶手段と、接続要求があった呼の伝送レートの優先度関数が高い順に検索対象スロットを選択するスロット選択手段と、選択されたスロットの受信干渉電力が、前記接続要求があった呼の伝送レートの閾値以下である場合に前記スロットにチャネルを割当てるチャネル割当て手段とを具備することを特徴とする基地局装置。
【請求項７】
チャネル割当て手段は、チャネルを割当てたスロットの優先度関数を増加させることを特徴とする請求項６記載の基地局装置。
【請求項８】
チャネル割当て手段は、検索対象となったスロットの受信干渉電力が閾値より大きい場合に前記スロットの優先度関数を低減させることを特徴とする請求項６又は請求項７記載の基地局装置。
【請求項９】
ＣＤＭＡ／ＴＤＤ通信方式にて無線通信を行う基地局装置であって、各スロットの優先度関数及びコード多重数を記憶する記憶手段と、未だ検索対象として選択されていない選択候補スロットの中でコード多重数が最大のものの中から検索対象のスロットを選択するスロット選択手段と、選択されたスロットの受信干渉電力が閾値以下である場合に前記スロットにチャネルを割当てるチャネル割当て手段とを具備することを特徴とする基地局装置。
【請求項１０】
スロット選択手段は、コード多重数が最大の選択候補スロットの中で優先度関数が最も高いものを検索対象として選択することを特徴とする請求項９記載の基地局装置。
【請求項１１】
ＣＤＭＡ／ＴＤＤ通信方式にて無線通信を行う基地局装置であって、各スロットの優先度関数及びコード多重数を記憶する記憶手段と、各スロットの優先度関数及び各スロットのコード多重数を媒介変数とする選択順位関数を算出する選択順位算出手段と、未だ検索対象として選択されていないスロットの中で前記選択順位関数が最も高いものを検索対象として選択するスロット選択手段と、選択されたスロットの受信干渉電力が閾値以下である場合に前記スロットにチャネルを割当てるチャネル割当て手段とを具備することを特徴とする基地局装置。
【請求項１２】
選択順位算出手段は、各スロットの選択順位関数を、当該スロットの優先度関数に重み係数を乗算した値に当該スロットのコード多重数を加算して算出することを特徴とする請求項１１記載の基地局装置。
【請求項１３】
チャネル割当て手段は、検索対象となったスロットの受信干渉電力が閾値以下である場合に前記スロットにチャネルを割当てることを特徴とする請求項９から請求項１２のいずれかに記載の基地局装置。
【請求項１４】
チャネル割当て手段は、チャネルを割当てたスロットの優先度関数を増加させることを特徴とする請求項９から請求項１３のいずれかに記載の基地局装置。
【請求項１５】
チャネル割当て手段は、検索対象となったスロットの受信干渉電力が閾値より大きい場合に前記スロットの優先度関数を低減させることを特徴とする請求項９から請求項１４のいずれかに記載の基地局装置。
【請求項１６】
全てのチャネルに対して上り／下りの優先度関数を個別に制御し、優先度関数を上げたチャネルの逆回線の同チャネルの優先度関数を下げることを特徴とするチャネル割当て方法。
【請求項１７】
全てのチャネルに対して上り／下りの優先度関数を個別に制御し、優先度関数を下げたチャネルの逆回線の同チャネルの優先度関数を上げることを特徴とするチャネル割当て方法。
【請求項１８】
チャネルの上下回線を切り替える場合、切替えたチャネルの優先度関数を所定値に設定することを特徴とする請求項１６又は請求項１７記載のチャネル割当て方法。
【請求項１９】
ＣＤＭＡ／ＴＤＤ通信方式の無線通信において、接続要求があった呼の伝送レートの優先度関数が高い順に検索対象スロットを選択し、選択されたスロットの受信干渉電力が、前記接続要求があった呼の伝送レートの閾値以下である場合に前記スロットにチャネルを割当てることを特徴とするチャネル割当て方法。
【請求項２０】
ＣＤＭＡ／ＴＤＤ通信方式の無線通信において、未だ検索対象として選択されていない選択候補スロットの中でコード多重数が最大のものの中から検索対象のスロットを選択し、選択されたスロットの受信干渉電力が閾値以下である場合に前記スロットにチャネルを割当てることを特徴とするチャネル割当て方法。
【発明の詳細な説明】
【０００１】
【発明の属する技術分野】
本発明は、チャネル棲み分けを行う無線通信システムに用いられる基地局装置及びチャネル割当て方法に関する。
【０００２】
【従来の技術】
従来のチャネル割当て方法の一例を、資料（Ｃｈａｎｎｅｌ  Ｓｅｇｒｅｇａｔｉｏｎ  ａ  Ｄｉｓｔｒｉｂｕｔｅｄ  Ａｄａｐｔｉｖｅ  Ｃｈａｎｎｅｌ  Ａｌｌｏｃａｔｉｏｎ  Ｓｃｈｅｍｅ  ｆｏｒ  Ｍｏｂｉｌｅ  Ｃｏｍｍｕｎｉｃａｔｉｏｎ  Ｓｙｓｔｅｍｓ，  ＩＥＩＣＥ  ＴＲＡＮＳＡＣＴＩＯＮＳ，  ＶＯＬ．Ｅ７４，  ＮＯ．６  ＪＵＮＥ  １９９１）に基づいて説明する。図２５は、この資料から起こしたフロー図である。
【０００３】
まず、基地局装置は、それぞれのチャネル（無線リソース）に優先度関数Ｐｉ（ｉはチャネル番号）を定義する。この状態で、呼が発生したら、”最も優先度関数が高く”かつ”ｂｕｓｙ（ビジー）”でないチャネルを観測用に設定し、当該チャネルの干渉波電力を測定する（ＳＴ１：ステップ１）。
【０００４】
そして、干渉波電力が所定の閾値より大きいか否かを判定する（ＳＴ２）。この判定において、干渉波電力が所定の閾値より大きければ、当該チャネルを”ｂｕｓｙ”に設定する（ＳＴ３）。これに対して、干渉波電力が所定の閾値以下であれば、当該チャネルを”ｉｄｌｅ（アイドル）”に設定する（ＳＴ４）。
【０００５】
当該チャネルが”ｉｄｌｅ”であった場合、基地局装置は当該チャネルを用いて通信を開始し、当該チャネルの優先度関数を増加させる（ＳＴ５）。これに対して、当該チャネルが”ｂｕｓｙ”ならば、基地局装置は、当該チャネルの優先度関数を下げる（ＳＴ６）。そして、次に優先度関数が高いチャネルを観測用に設定して、ＳＴ１に戻る（ＳＴ７）。なお、全てのチャネルが”ｂｕｓｙ”の時は呼損とする。
【０００６】
このように、チャネル毎の優先度関数を管理することにより、ある基地局で優先度関数（利用できる可能性）が高くなったチャネルは、自然と他の周辺基地局で優先度関数が低くなる。このようなアルゴリズムを「チャネル棲み分け」と呼んでいる。
【０００７】
【発明が解決しようとする課題】
しかしながら、チャネル棲み分けは、チャネル検索の順序を過去の履歴情報のみで決定するため、チャネル検索を行う時点での情報を利用していない問題がある。具体的には、あるチャネルが頻繁に使用され優先度テーブルが高くなっていたとする。ところが、そのチャネルの使用が少ないときに、他セルで同一チャネルが使用された場合、干渉が大きく、割当てができないにも関わらず、優先度テーブルに従ってそのチャネルが使用できるかどうか測定を繰り返すこととなる。
【０００８】
また、上記従来のチャネル割当て方法は、呼接続要求があった場合のみ優先度テーブルの更新を行うので、呼接続要求が長時間に渡って発生しないと、その間、優先度テーブルの内容が更新されない。また、上記従来のチャネル割当て方法は、割当て可能なチャネルが検索されると、当該チャネルより優先度関数が低いチャネルについては優先度関数の更新を行わない。優先度テーブルの内容が長時間に渡って更新されず、その間に他セルのスロット割当て状態が変化してしまうと、現状の回線品質を反映しない優先度テーブルの内容に基づいてチャネル割当てを行ってしまうこととなる。
【０００９】
本発明はかかる点に鑑みてなされたものであり、チャネル棲み分けを促進すると共に効率の良いチャネル検索ができ、現状の回線品質を反映した優先度テーブルの内容に基づいてチャネル割当てを行うことができる基地局装置及びチャネル割当て方法を提供することを目的とする。
【００１０】
【課題を解決するための手段】
本発明の基地局装置は、全てのチャネルに対して上り／下りの優先度関数を記憶する記憶手段と、前記上り／下りの優先度関数に基づいてチャネル割当てを行うとともに上り回線のチャネル割当て時には下り回線の同チャネルの優先度関数を更新し、下り回線のチャネル割当て時には上り回線の同チャネル優先度関数を更新するチャネル割当て手段とを具備し、前記チャネル割当て手段は、優先度関数を上げたチャネルの逆回線の同チャネルの優先度関数を下げ、優先度関数を下げたチャネルの逆回線の同チャネルの優先度関数を上げる構成を採る。
【００２４】
この構成により、チャネルが割当てられていない回線の優先度関数を更新することができるので、上下回線が切り替わったときに現状の回線品質を反映した優先度テーブルの内容に基づいてチャネル割当てを行うことができ、無駄にチャネル検索を行ってしまうことを防止することができる。
【００２５】
本発明の基地局装置は、チャネル割当て手段は、チャネルの上下回線を切り替える場合、切替えたチャネルの優先度関数を所定値に設定する構成を採る。
【００２６】
この構成により、上下回線が切り替わったチャネルの優先度関数を抑えることができるので、急激に上下回線を切替わってしまうことを防止することができる。
【００２７】
本発明の基地局装置は、チャネル割当て手段は、所望波電力と干渉波電力の大小関係に基づいて優先度関数を更新する構成を採る。
【００２８】
本発明の基地局装置は、チャネル割当て手段は、所望波電力の変動が小さく且つ干渉波電力が増加している時に優先度関数を下げる構成を採る。
【００２９】
これらの構成により、他の基地局や移動局の通信開始によって干渉信号が増加し、これによってハンドオーバを行う必要があるときでも、干渉を受けやすいチャネルの優先順位を下げることができるので、当該チャネルのハンドオーバの機会を減らすことができる。
【００３６】
本発明の基地局装置は、ＣＤＭＡ／ＴＤＤ通信方式にて無線通信を行う基地局装置であって、各スロットの優先度関数を記憶する記憶手段と、前記各スロットの優先度関数に基づいて検索対象のスロットを選択するスロット選択手段と、前記選択されたスロットの伝搬路品質推定値に基づいてチャネル割当てを行うとともに前記優先度関数を更新するチャネル割当て手段とを具備し、チャネル割当て手段は、コード多重数が閾値以下のスロットの優先度関数を下げ、コード多重数が前記閾値より大きいスロットの優先度関数を上げる構成を採る。
【００３７】
この構成により、チャネル割当て時にコード多重数が多いスロットからチャネル検索を行うことができるので、コードプーリングの状態を維持することができる。
【００３８】
本発明の基地局装置は、ＣＤＭＡ／ＴＤＤ通信方式にて無線通信を行う基地局装置であって、伝送レート毎の閾値と伝送レート毎の各スロットの優先度関数を記憶する記憶手段と、接続要求があった呼の伝送レートの優先度関数が高い順に検索対象スロットを選択するスロット選択手段と、選択されたスロットの受信干渉電力が、前記接続要求があった呼の伝送レートの閾値以下である場合に前記スロットにチャネルを割当てるチャネル割当て手段とを具備する構成を採る。
【００４１】
この構成により、伝送レート毎に閾値を設定し、所望の伝送レートの中で優先度関数が高い順にスロットを選択してチャネル検索を行うことができるので、ＣＤＭＡ／ＴＤＤ通信方式においてマルチレート伝送方式の場合に効率良くチャネル棲み分けを行うことができる。
【００４２】
本発明の基地局装置は、チャネル割当て手段は、チャネルを割当てたスロットの優先度関数を増加させる構成を採る。
【００４３】
本発明の基地局装置は、チャネル割当て手段は、検索対象となったスロットの受信干渉電力が閾値より大きい場合に前記スロットの優先度関数を低減させる構成を採る。
【００４４】
これらの構成により、チャネル検索の結果に基づいて優先度関数の更新を行うことができるので、効率的なチャネル割当てを行うことができる。
【００４５】
本発明の基地局装置は、ＣＤＭＡ／ＴＤＤ通信方式にて無線通信を行う基地局装置であって、各スロットの優先度関数及びコード多重数を記憶する記憶手段と、未だ検索対象として選択されていない選択候補スロットの中でコード多重数が最大のものの中から検索対象のスロットを選択するスロット選択手段と、選択されたスロットの受信干渉電力が閾値以下である場合に前記スロットにチャネルを割当てるチャネル割当て手段とを具備する構成を採る。
【００４７】
本発明の基地局装置は、スロット選択手段は、コード多重数が最大の選択候補スロットの中で優先度関数が最も高いものを検索対象として選択する構成を採る。
【００４８】
これらの構成により、コード多重数が最大のスロットの中で優先度関数が高い順にチャネル検索を行うことができるので、ＣＤＭＡ／ＴＤＤ通信方式において自然とコードプーリングとなるチャネル棲み分けを行うことができる。
【００４９】
さらに、コード多重数が大きいスロットは、周辺基地局において通信に用いられている可能性が低く、受信干渉電力が閾値以下である可能性が高いため、コード多重数が大きいスロットからチャネル検索を行うことにより、スロットが割当てられるまでの時間の短縮、及び、演算量の削減を図ることができる。
【００５０】
本発明の基地局装置は、ＣＤＭＡ／ＴＤＤ通信方式にて無線通信を行う基地局装置であって、各スロットの優先度関数及びコード多重数を記憶する記憶手段と、各スロットの優先度関数及び各スロットのコード多重数を媒介変数とする選択順位関数を算出する選択順位算出手段と、未だ検索対象として選択されていないスロットの中で前記選択順位関数が最も高いものを検索対象として選択するスロット選択手段と、選択されたスロットの受信干渉電力が閾値以下である場合に前記スロットにチャネルを割当てるチャネル割当て手段とを具備する構成を採る。
【００５１】
本発明の基地局装置は、選択順位算出手段が、各スロットの選択順位関数を、当該スロットの優先度関数に重み係数を乗算した値に当該スロットのコード多重数を加算して算出する構成を採る。
【００５２】
本発明の基地局装置は、チャネル割当て手段が、検索対象となったスロットの受信干渉電力が閾値以下である場合に前記スロットにチャネルを割当てる構成を採る。
【００５３】
本発明の基地局装置は、チャネル割当て手段が、チャネルを割当てたスロットの優先度関数を増加させる構成を採る。
【００５４】
本発明の基地局装置は、チャネル割当て手段が、検索対象となったスロットの受信干渉電力が閾値より大きい場合に前記スロットの優先度関数を低減させる構成を採る。
【００５５】
これらの構成により、チャネル検索の結果に基づいて優先度関数の更新を行うことができるので、効率的なチャネル割当てを行うことができる。
【００７１】
本発明のチャネル割当て方法は、全てのチャネルに対して上り／下りの優先度関数を個別に制御し、優先度関数を上げたチャネルの逆回線の同チャネルの優先度関数を下げる方法をとる。
【００７２】
本発明のチャネル割当て方法は、全てのチャネルに対して上り／下りの優先度関数を個別に制御し、優先度関数を下げたチャネルの逆回線の同チャネルの優先度関数を上げる方法をとる。
【００７３】
これらの方法により、チャネルが割当てられていない回線の優先度関数を更新することができるので、上下回線が切り替わったときに現状の回線品質を反映した優先度テーブルの内容に基づいてチャネル割当てを行うことができ、無駄にチャネル検索を行ってしまうことを防止することができる。
【００７４】
本発明のチャネル割当て方法は、チャネルの上下回線を切り替える場合、切替えたチャネルの優先度関数を所定値に設定する方法を採る。
【００７５】
この方法により、上下回線が切り替わったチャネルの優先度関数を抑えることができるので、急激に上下回線を切替わってしまうことを防止することができる。
【００７８】
本発明のチャネル割当て方法は、ＣＤＭＡ／ＴＤＤ通信方式の無線通信において、接続要求があった呼の伝送レートの優先度関数が高い順に検索対象スロットを選択し、選択されたスロットの受信干渉電力が、前記接続要求があった呼の伝送レートの閾値以下である場合に前記スロットにチャネルを割当てる方法をとる。
【００７９】
この方法により、伝送レート毎に閾値を設定し、所望の伝送レートの中で優先度関数が高い順にスロットを選択してチャネル検索を行うことができるので、ＣＤＭＡ／ＴＤＤ通信方式においてマルチレート伝送方式の場合に効率良くチャネル棲み分けを行うことができる。
【００８０】
本発明のチャネル割当て方法は、ＣＤＭＡ／ＴＤＤ通信方式の無線通信において、未だ検索対象として選択されていない選択候補スロットの中でコード多重数が最大のものの中から検索対象のスロットを選択し、選択されたスロットの受信干渉電力が閾値以下である場合に前記スロットにチャネルを割当てる方法をとる。
【００８１】
この方法により、コード多重数が最大のスロットの中で優先度関数が高い順にチャネル検索を行うことにより、ＣＤＭＡ／ＴＤＤ通信方式において自然とコードプーリングとなるチャネル棲み分けを行うことができる。
【００８２】
さらに、コード多重数が大きいスロットは、周辺基地局において通信に用いられている可能性が低く、受信干渉電力が閾値以下である可能性が高いため、コード多重数が大きいスロットからチャネル検索を行うことにより、スロットが割当てられるまでの時間の短縮、及び、演算量の削減を図ることができる。
【００８５】
【発明の実施の形態】
本発明の骨子は、チャネル割当てにおいて、終呼の発生したチャネルは呼を収容できる可能性が高くなることから、終呼のあったチャネルを優先的に検索して、効率の良いチャネル検索を行うこと、及び、一定周期経過後や終呼が有ったタイミング等、チャネル割当てを行うとき以外のタイミングでも優先度テーブルの更新処理を行うことである。
【００８６】
以下、本発明の実施の形態について、添付図面を参照して詳細に説明する。
【００８７】
（実施の形態１）
図１は、実施の形態１に係る基地局装置の通信相手となる通信端末装置の構成を示すブロック図である。
【００８８】
図１において、通信端末装置１００は、変調波信号の送受信を行なう送受信回路１０１と、送信信号を符号化する符号化回路１０２と、送受信回路１０１で復調された受信信号から所望のデータを復号する復号回路１０３と、を備えて構成される。さらに、通信端末装置１００は、送受信回路１０１で復調された受信信号から干渉波電力を測定してその結果を出力する干渉電力測定回路１０４と、干渉電力測定回路１０４からの出力と送信信号とを多重化して符号化回路１０２に出力する多重回路１０５と、を備えて構成される。
【００８９】
図２は、実施の形態１に係る基地局装置の構成を示すブロック図である。
【００９０】
図２において、基地局装置２００は、変調波信号の送受信を行なう送受信回路２０１と、送信信号を符号化する符号化回路２０２と、送受信回路２０１で復調された受信信号から所望のデータを復号する復号回路２０３と、を備えて構成される。
【００９１】
また、基地局装置２００は、復号回路２０３で復号されたデータから通信端末装置１００より送信された干渉波電力の情報を分離する分離回路２０４と、送受信回路２０１で復調された受信信号からチャネルの占有状況を調べて、得られた結果をチャネル情報として出力する伝搬路測定回路２０５と、を備えて構成される。
【００９２】
さらに、基地局装置２００は、チャネルの割当てを行なうチャネル割当て回路２０６と、全てのスロットに対して優先度関数とスロットに終呼が発生した順である終呼順を記録する優先度テーブル２０７と、優先度テーブル２０７の更新を行うテーブル更新回路２０８と、を備えて構成される。
【００９３】
次に、チャネル割当て回路２０６とテーブル更新回路２０８のチャネル検索における詳細な動作について説明する。
【００９４】
テーブル更新回路２０８は、チャネル割当て回路２０６から出力されたチャネル割当て情報に基づいて、優先度テーブル２０７の優先度情報を更新する。具体的には、テーブル更新回路２０８は、チャネルを割当てたスロットの優先度の値を増加させ、チャネルを割当てることができなかったスロットの優先度の値を減少させる。また、テーブル更新回路２０８は、スロットに終呼のあった場合、スロットに終呼が発生した順である終呼順を優先度テーブル２０７に記録する。
【００９５】
チャネル割当て回路２０６は、新たなチャネル割当ての要求があると、優先度テーブル２０７を参照して、まず、最後に終呼が発生したスロットを空きスロット候補として、新たなチャネルが割当てられるか否か調べ、スロットに空きがある場合、新たなチャネルを割当てる。
【００９６】
また、チャネル割当て回路２０６は、先に選択した空きスロット候補でチャネル割当てできなかった場合、テーブル参照時から時間的に終呼の発生した時刻が近い順に空きスロット候補を選択して、チャネルが割当てられるか調べる。
【００９７】
そして、チャネル割当て回路２０６は、終呼が発生したスロットを所定数検索してチャネル割当てできなかった場合、優先度テーブル２０７の優先度関数を参照して空きスロット候補を選択し、チャネルが割当てられるか調べる。
【００９８】
次に空きスロット候補の選択の例を説明する。
【００９９】
図３は、実施の形態１に係る基地局装置における優先度テーブルの内部構成の例を示す図である。
【０１００】
優先度テーブル２０７は、図３に示すようにスロット毎にスロット番号と、スロットの優先度関数と、スロットに終呼が発生した順である終呼順とを関連づけて保存されている。図３において（＃１〜＃１３）は、それぞれスロット番号を示す。例えば、スロット＃３の優先度関数の値は「０．６５」であり、終呼順は「３」である。
【０１０１】
以下、終呼によるスロットの優先検索数を「２」とした場合の例について説明する。
【０１０２】
チャネル割当て回路２０６は、まず優先度テーブル２０７の終呼順を参照し、最後に終呼のあったスロットを検索する。具体的には終呼順の一番大きいスロット＃３を検索する。
【０１０３】
スロット＃３にチャネル割当てが不可能である場合、テーブル更新回路２０８は、スロット＃３の優先度関数の値を減少させ、チャネル割当て回路２０６は、スロット＃３より以前に終呼のあったスロット＃９を検索する。
【０１０４】
スロット＃９にチャネル割当てが不可能である場合、テーブル更新回路２０８は、スロット＃９の優先度関数の値を減少させ、チャネル割当て回路２０６は、終呼によるスロットの優先検索数が「２」であることから、次に優先度関数の値が大きい順にスロットを検索する。具体的には、すでに検索したスロット＃３とスロット＃９を除いたスロットの中で優先度関数の値が「０．８５」で最も高いスロット＃１を検索する。
【０１０５】
以降、チャネル割当て回路２０６は、優先度関数の値が高い順にスロットを検索する。
【０１０６】
次に、上記構成の基地局装置２００におけるチャネル割当て方法について図４のフロー図を用いて説明する。
【０１０７】
ＳＴ３０１では、チャネル割当て回路２０６が、優先度テーブル２０７を参照して、スロットに終呼が発生した順である終呼順が大きいスロットから空きスロット候補として選択する。
【０１０８】
ＳＴ３０１において終呼の発生した空きスロット候補がある場合、ＳＴ３０２では、チャネル割当て回路２０６が、空きスロット候補の受信干渉電力値が閾値より小さいか否かを判断する。
【０１０９】
ＳＴ３０２において受信干渉電力値が閾値より小さい場合、ＳＴ３０３では、テーブル更新回路２０８が、優先度テーブル２０７の空きスロット候補の優先度関数の値を増加させる。ＳＴ３０４では、チャネル割当て回路２０６が、前記候補スロットにチャネルを割当てて処理を終了する。
【０１１０】
ＳＴ３０２において受信干渉電力値が閾値以上である場合、ＳＴ３０５では、テーブル更新回路２０８が、優先度テーブル２０７の空きスロット候補の優先度関数の値を減少させる。ＳＴ３０６では、チャネル割当て回路２０６が、受信干渉電力値が閾値以上である空きスロット候補を候補から外し、ＳＴ３０１に戻る。
【０１１１】
ＳＴ３０１において、終呼の発生した空きスロット候補がない場合、ＳＴ３０７では、チャネル割当て回路２０６が、優先度テーブル２０７を参照して、優先度関数の値が大きいスロットから空きスロット候補に選択する。
【０１１２】
ＳＴ３０７において空きスロット候補がない場合、ＳＴ３０８では、チャネル割当て回路２０６が、呼損処理を行い処理を終了する。
【０１１３】
ＳＴ３０７において空きスロット候補がある場合、ＳＴ３０９では、チャネル割当て回路２０６が、空きスロット候補の受信干渉電力値が閾値より小さいか否かを判断し、受信干渉電力値が閾値より小さい場合、ＳＴ３０３に進む。
【０１１４】
ＳＴ３０９において受信干渉電力値が閾値以上である場合、ＳＴ３１０では、テーブル更新回路２０８が、優先度テーブル２０７の空きスロット候補の優先度関数の値を減少させる。ＳＴ３１１では、チャネル割当て回路２０６が、受信干渉電力値が閾値以上である空きスロット候補を候補から外し、ＳＴ３０７に戻る。
【０１１５】
このように、本実施の形態の無線通信装置によれば、終呼のあったチャネルを優先的に検索することにより、終呼のあったチャネルは呼を収容できる可能性が高いことから、呼を収容することが可能なチャネルを優先的に検索することができるので、効率的なチャネル割当てを行うことができる。
【０１１６】
また、本実施の形態の無線通信装置によれば、終呼のあったチャネルを検索して、収容可能なチャネルが見つからない場合でも、呼を収容することが可能なチャネルを発見することができる。
【０１１７】
なお、スロットに終呼が発生した順である終呼順の情報に所定の時間の有効期限を設けることもできる。例えば、テーブル更新回路２０８は、終呼が発生した時刻から所定の時間が経過した終呼順の情報を優先度テーブル２０７から削除する。
【０１１８】
このように、終呼の発生したチャネルの順の情報を所定の時刻が経過した後に削除して、呼を収容できる可能性が低くなるチャネルを優先的に検索する対象から外すことにより、呼を収容することが可能なチャネルを優先的に検索することができるので、効率的なチャネル割当てを行うことができる。
【０１１９】
（実施の形態２）
図５は、実施の形態２に係る基地局装置における優先度テーブルの内部構成の例を示す図である。
【０１２０】
優先度テーブル２０７は、図５に示すようにスロット毎にスロット番号と、スロットの優先度関数と、スロットに終呼が発生した順である終呼順とが関連つけられて保存されている。図５において（＃１〜＃１３）は、それぞれスロット番号を示す。例えば、スロット＃３の優先度関数の値は「０．６５」であり、終呼順は「３」である。
【０１２１】
上記実施の形態１の無線通信装置でチャネル割当てを行うと、無線通信装置は、図５に示す優先テーブルを参照して、チャネル割当てを開始時刻から時間的に終呼の発生した時刻が近い順より遡って空きスロット候補を選択してチャネル検索を行うので、終呼が最後にあったスロット＃１１、次にスロット＃１３をチャネル検索する。
【０１２２】
しかし、スロット＃１１とスロット＃１３は、優先度関数の値が低く、他セルでこれらのスロットが使用されている可能性があり、干渉が大きくチャネル割当てができない可能性が高い。
【０１２３】
そこで、本実施の形態では、上記問題を解決するために終呼が一時的に大量に発生した場合に、終呼のあったスロットで、且つ優先度関数の値の大きさを比較して所定の順位以上であるスロットを優先的に検索して、呼を収容する可能性が低いスロットを優先的に検索する対象から外す。
【０１２４】
以下、優先度関数の値が大きい順に２番目までのスロットで、且つ終呼が発生したスロットを優先検索する場合を例にして説明する。
【０１２５】
チャネル割当て回路２０６は、新たなチャネル割当ての要求があると、優先度テーブル２０７を参照し、優先度関数の値が大きい順に２番目までのスロットで、且つ終呼が発生したスロットを空きスロット候補として選択し、新たなチャネルが割当てられるか否か調べ、スロットに空きがある場合、新たなチャネルを割当てる。
【０１２６】
図５の例では、スロット＃５が条件を満たし、空きスロット候補として選択される。
【０１２７】
そして、チャネル割当て回路２０６は、上記条件で空きスロット候補を検索してチャネル割当てできなかった場合、優先度テーブル２０７の優先度関数を参照して空きスロット候補を選択し、チャネルが割当てられるか調べる。
【０１２８】
このように、本実施の形態の無線通信装置によれば、終呼が一時的に大量に発生した場合に、終呼のあったチャネルで、且つ優先度関数の値の大きさを比較して所定の順位以上であるチャネルを優先的に検索して、呼を収容できる可能性が低いチャネルを優先的に検索する対象から外すことにより、終呼による優先チャネル検索数を制限することができる。
【０１２９】
なお、上記実施の形態１、２は、上り回線と下り回線のそれぞれのチャネル割当てを行うことができる。また、上下回線がペアで割当てられている場合等では、基地局装置は片方の回線優先順位テーブルを所有すれば足りる。また、上記実施の形態１、２は、周波数分割多重通信等の多重通信に適用することもできる。この場合、時間分割多重通信で用いられるスロットの代わりに周波数分割等で複数存在するチャネルを検索して、呼を収容するチャネルに割当てる。
【０１３０】
（実施の形態３）
ここで、ＴＤＤ通信方式において、非対称トラフィックに対応すべくスロットの上下回線を切り替える場合、切り替えと同時にチャネル検索のために用いられる優先度テーブルも切り替わる。しかしながら、従来のチャネル割当て方法においては、各チャネルにおける上り回線と下り回線の競合及び切替えを考慮していないので、その分、効率の良い運用ができないという問題がある。
【０１３１】
実施の形態３では、この問題を解決すべく、全てのチャネルに対して上り／下りの優先度関数を個別に制御するとともに、チャネル検索を行ったチャネルの逆回線のチャネルを制御する場合について説明する。
【０１３２】
図６は、本実施の形態に係る基地局装置の構成を示すブロック図である。なお、図６の基地局装置４００において、図２の基地局装置２００と共通する構成部分には図２と同一符号を付し説明を省略する。また、本実施の形態に係る通信端末装置は、実施の形態１に示した図１の通信端末装置１００の構成と同一であるので説明を省略する。
【０１３３】
図６の基地局装置４００は、図２の基地局装置２００と比較して、伝搬路測定回路２０５、チャネル割当て回路２０６及びテーブル更新回路２０８を削除し、干渉電力測定回路４０１、上り回線優先度テーブル４０２、下り回線優先度テーブル４０３及びチャネル割当て回路４０４を追加した構成を採る。
【０１３４】
干渉電力測定回路４０１は、送受信装置２０１で復調された受信信号から干渉波電力を測定してその結果を出力する。上り回線優先度テーブル４０２と下り回線優先度テーブル４０３は、それぞれチャネル毎に設けられ、上り回線優先度テーブル４０２は、全てのチャネルに対して上り回線の優先度関数を記録する。下り回線優先度テーブル４０３は、全てのチャネルに対して下り回線優先度関数を記録する。
【０１３５】
チャネル割当て回路４０４は、通信端末装置１００において測定された干渉波電力と、基地局装置４００において測定された干渉波電力と、上り／下り回線識別信号を基に、上り回線又は下り回線でのチャネル割当てを行ない、更にチャネル割当て後に上り回線優先度テーブル４０２と下り回線優先度テーブル４０３の更新を行なう。チャネル割当ては、下り回線のチャネル割当て要求が多い場合、下り回線のチャネル割当ての回数が多くなり、優先度テーブルも下り回線の優先度関数が多くなる。逆に、上り回線のチャネル割当て要求が多い場合、上り回線のチャネル割当ての回数が多くなり、優先度テーブルも上り回線の優先度関数が多くなる。なお、上り／下り回線識別信号は、基地局装置４００内より生成されるが、例えば無線ネットワークコントローラ（ＲＮＣ）でチャネル割当てを行なう場合にはＲＮＣ装置になる。
【０１３６】
チャネル割当て時には、基地局装置４００から通信端末装置１００へ向けて干渉波電力を測定するスロットを指示する旨の信号が送られる。通信端末装置１００はその指示を受け取ると、測定対象のスロットに対して干渉波電力の測定を行ない、その結果を基地局装置４００へ向けて送信する。基地局装置４００は、通信端末装置１００から報告を受けた干渉波電力値をチャネル割当て回路４０４に出力すると共に、自局において当該スロットにおける干渉波電力の測定を行ない、その結果をチャネル割当て回路４０４に出力する。チャネル割当て回路４０４には、干渉波電力値の他に、割当てたいスロット番号と上り／下り回線の識別信号が送られる。
【０１３７】
次に、上記構成の通信端末装置１００と基地局装置４００におけるチャネル割当て動作について説明する。なお、通信端末装置１００と基地局装置４００の動作説明を別々に行なわないで、一括して説明することとする。
【０１３８】
（チャネル割当て）
図７は、本実施の形態に係るチャネル割当て処理を示すフロー図である。
【０１３９】
まず、ＳＴ５０１において、上り回線と下り回線の判定を行なう。上り回線の場合は、ＳＴ５０２へ進み、上り回線のチャネル割当てを行う。下り回線の場合は、ＳＴ５０３へ進み、下り回線のチャネル割当てを行う。
【０１４０】
基地局装置４００は、上述したように、チャネル毎に上り回線優先度テーブル４０２と下り回線優先度テーブル４０３を持っているので、例えば下り回線のチャネル割当て要求が多い場合、下り回線のチャネル割当ての回数が多くなり、優先度テーブルも下り回線の優先度関数が高くなる。
【０１４１】
（上り回線のチャネル割当て処理）
図８は、本実施の形態に係る上り回線のチャネル割当て処理を示すフロー図である。
【０１４２】
上り回線のチャネル割当て要求があると、基地局装置４００は、ＳＴ６０１において、優先度関数が高く、かつ、”ｂｕｓｙ”でないチャネルの干渉電力（干渉Ｕ）を測定する。
【０１４３】
次に、ＳＴ６０２で、基地局装置４００は、干渉電力Ｕと閾値Ｕ１を比較する。この比較において、干渉電力Ｕが閾値Ｕ１よりも小さい場合は、上り回線の干渉電力が小さいので、上り回線の受信品質を確保できること判断する。したがって、干渉電力Ｕが閾値Ｕ１よりも小さい場合（ＹＥＳの場合）は、ＳＴ６０３で当該チャネルを上り回線に割当てる。そして、ＳＴ６０４で当該チャネルの上り回線の優先度関数を上げる。次いで、ＳＴ６０５で当該チャネルの下り回線の優先度関数を下げる。
【０１４４】
一方、ＳＴ６０２において、干渉電力Ｕが閾値Ｕ１以上の場合（ＮＯの場合）は、ＳＴ６０６で、当該チャネルの上り回線を”ｂｕｓｙ”に設定する。そして、ＳＴ６０７で当該チャネルの上り回線の優先度関数を下げる。次いで、ＳＴ６０８で当該チャネルの下り回線の優先度関数を上げる。
【０１４５】
次いで、ＳＴ６０９で全チャネルの測定終了か否かを判定し、残りのチャネルがある場合はＳＴ６０１から処理を繰り返す。全てのチャネルに対して、干渉電力Ｕが閾値Ｕ１以上の場合は、ＳＴ６１０でチャネル割当て不可能と判断して処理を抜ける。
【０１４６】
（下り回線のチャネル割当て処理）
図９は、本実施の形態に係る下り回線のチャネル割当て処理を示すフロー図である。
【０１４７】
下り回線のチャネル割当て要求があると、基地局装置４００は、ＳＴ７０１で、通信端末装置１００に優先度関数が高く、且つ”ｂｕｓｙ”でないチャネルの干渉波電力（干渉Ｄ）を測定させて、その結果を報告させる。
【０１４８】
次に、ＳＴ７０２で、基地局装置４００は、干渉電力Ｄと閾値Ｄ１を比較する。この比較において、干渉電力Ｄが閾値Ｄ１よりも小さい場合は、下り回線の干渉が小さいので、下り回線の受信品質を確保できると判断する。したがって、干渉電力Ｄが閾値Ｄ１よりも小さい場合（ＹＥＳの場合）は、ＳＴ７０３で当該チャネルを下り回線に割当てる。そして、ＳＴ７０４で当該チャネルの下り回線の優先度関数を上げる。次いで、ＳＴ７０５で当該チャネルの上り回線の優先度関数を下げる。
【０１４９】
一方、ＳＴ７０２において、干渉電力Ｄが閾値Ｄ１よりも大きい場合（ＮＯの場合）は、ＳＴ７０６で、当該チャネルの下り回線を”ｂｕｓｙ”に設定する。そして、ＳＴ７０７で当該チャネルの下り回線の優先度関数を下げる。次いで、ＳＴ７０８で当該チャネルの上り回線の優先度関数を上げる。
【０１５０】
次いで、ＳＴ７０９で全チャネルの測定終了か否かを判定し、残りのチャネルがある場合はＳＴ７０１から処理を繰り返す。全てのチャネルに対して、干渉電力Ｄが閾値Ｄ１よりも大きい場合は、ＳＴ７１０においてチャネル割当て不可能と判断して処理を抜ける。
【０１５１】
このように、本実施の形態によれば、”上り回線”専用の優先度テーブルと”下り回線”専用の優先度テーブルをそれぞれ用意して個別に制御するので、上り／下りの割当てが混在する場合でも効率の良い運用を行うことができる。
【０１５２】
そして、優先度関数を上げたチャネルの逆回線チャネルの優先度関数を下げる、あるいは、優先度関数を下げたチャネルの逆回線チャネルの優先度関数を上げることにより、チャネルが割当てられていない回線の優先度関数を随時更新することができる。これにより、上下回線が切り替わったときに現状の回線品質を反映した優先度テーブルの内容に基づいてチャネル割当てを行うことができ、無駄にチャネル検索を行ってしまうことを防止することができる。
【０１５３】
ここで、回線切替え時に優先度関数が高いと急激に上下回線を切替えてしまうことに繋がる。これは、擾乱等の影響から好ましくない。
【０１５４】
これに対し、チャネル割当て回路４０４が、チャネルの上下回線を切り替えるときに当該チャネルの優先度関数を中央値等の所定の値に再設定してもよい。これにより、上下回線が切り替わったチャネルの優先度関数を抑えることができるので、急激に上下回線を切替わってしまうことを防止することができ、しかも、優先度関数を計算するための演算量の削減を図ることができる。
【０１５５】
（ハンドオーバ時におけるチャネル割当ての優先度関数の更新処理）
次に、図１０に示すフロー図を参照しながら、ハンドオーバ時におけるチャネル割当ての優先度関数の更新処理について説明する。
【０１５６】
ハンドオーバが起きる契機は以下の２点又はその複合が考えられる。
【０１５７】
（１）通信端末装置の移動により所望波電力が小さくなった場合
（２）他の基地局装置または移動機の送信開始に伴い、干渉波電力が増加した場合
上記（２）の場合で、所望波電力が小さいにも関わらず、ハンドオーバが発生した場合、その時のチャネルは干渉を受けやすく、且つその干渉によって通信の維持が困難となる確率が高いと言える。
【０１５８】
そこで、図１０のＳＴ８０１で、所望波電力の大きさ、及び、干渉波電力の増加量を判定する。そして、所望波電力の変動が小さく、かつ、干渉波電力の増加した場合は、ＳＴ８０２で当該チャネルの上り（または下り）の優先度関数を下げる。
【０１５９】
このように、他の基地局や移動局の通信開始によって干渉信号が増加し、これが原因でハンドオーバが必要になる場合には、干渉を受けやすいチャネルの優先度関数を下げるので、ハンドオーバの機会を減らすことができる。
【０１６０】
なお、上記フロー図は、プログラム化されてデータとしてメモリ等に記憶されており、図示せぬ制御部が、この記憶されたプログラムに従ってチャネル割当て制御を行なう。このプログラムは、当然ながら通信端末装置１００用と基地局装置４００用に分かれる。
【０１６１】
（実施の形態４）
図１１は、本発明の実施の形態４に係る基地局装置の通信相手となる通信端末装置の構成を示すブロック図である。通信端末装置９００は、多重回路９０１と、変調回路９０２と、拡散回路９０３と、送受信回路９０４と、逆拡散回路９０５と、復調回路９０６と、分離回路９０７と、干渉電力測定回路９０８と、から主に構成されている。
【０１６２】
多重回路９０１は、干渉電力測定回路９０８から出力された干渉電力情報と送信信号とを多重して変調回路９０２に出力する。変調回路９０２は、多重回路９０１の出力信号に対してＱＰＳＫ等の一次変調を行い、拡散回路９０３に出力する。拡散回路９０３は、変調回路９０２の出力信号に対して所定の拡散符号を乗算し、送受信回路９０４に出力する。
【０１６３】
送受信回路９０４は、割当てられたスロットにおいて変調波信号の送受信を行う。具体的には、拡散回路９０３の出力信号を無線周波数に変換して増幅し、アンテナから無線送信する。また、アンテナに受信された信号を増幅してベースバンドに周波数変換し、逆拡散回路９０５に出力する。
【０１６４】
逆拡散回路９０５は、送受信回路９０４の出力信号に対して通信相手と同一の拡散符号を乗算し、復調回路９０６及び干渉電力測定回路９０８に出力する。復調回路９０６は、逆拡散回路９０５の出力信号を復調して分離回路９０７に出力する。分離回路９０７は、復調回路９０６の出力信号からチャネル割当て情報を分離し、送受信回路９０４に出力する。干渉電力測定回路９０８は、逆拡散回路９０５の出力信号から下り回線の受信干渉電力を測定し、測定結果を干渉電力情報として多重回路９０１に出力する。
【０１６５】
図１２は、本実施の形態に係る基地局装置の構成を示すブロック図である。基地局装置１０００は、多重回路１００１と、変調回路１００２と、拡散回路１００３と、送受信回路１００４と、逆拡散回路１００５と、復調回路１００６と、分離回路１００７と、干渉電力測定回路１００８と、上り回線優先度テーブル１００９と、下り回線優先度テーブル１０１０と、タイミング制御回路１０１１と、スロット選択回路１０１２と、チャネル割当て回路１０１３と、から主に構成されている。
【０１６６】
多重回路１００１は、チャネル割当て回路１０１３から出力されたチャネル割当て情報と送信信号とを多重して変調回路１００２に出力する。変調回路１００２は、多重回路１００１の出力信号に対してＱＰＳＫ等の一次変調を行い、拡散回路１００３に出力する。拡散回路１００３は、変調回路１００２の出力信号に対して所定の拡散符号を乗算し、送受信回路１００４に出力する。
【０１６７】
送受信回路１００４は、割当てられたスロットにおいて変調波信号の送受信を行う。具体的には、拡散回路１００３の出力信号を無線周波数に変換して増幅し、アンテナから無線送信する。また、アンテナに受信された信号を増幅してベースバンドに周波数変換し、逆拡散回路１００５に出力する。
【０１６８】
逆拡散回路１００５は、送受信回路１００４の出力信号に対して通信相手と同一の拡散符号を乗算し、復調回路１００６及び干渉電力測定回路１００８に出力する。復調回路１００６は、逆拡散回路１００５の出力信号を復調して分離回路１００７に出力する。分離回路１００７は、復調回路１００６の出力信号から干渉電力情報を分離してチャネル割当て回路１０１３に出力する。干渉電力測定回路１００８は、逆拡散回路１００５の出力信号から上り回線の受信干渉電力を測定し、チャネル割当て回路１０１３に測定結果を出力する。
【０１６９】
上り回線優先度テーブル１００９は、スロット毎に上り回線の優先度関数及びコード多重数を記録する。下り回線優先度テーブル１０１０は、スロット毎に下り回線の優先度関数及びコード多重数を記録する。
【０１７０】
タイミング制御回路１０１１は、所定のタイミングで、スロット選択回路１０１２及びチャネル割当て回路１０１３に対して優先度テーブル更新処理開始を指示する。
【０１７１】
スロット選択回路１０１２は、タイミング制御回路１０１１から指示されたタイミングで、上り回線優先度テーブル１００９あるいは下り回線優先度テーブル１０１０に記録された優先度関数に基づいて、チャネル検索を行うスロット（以下、「検索対象スロット」という）を選択する。
【０１７２】
チャネル割当て回路１０１３は、呼接続要求時に検索対象スロットの受信干渉電力等の伝搬路品質推定値と閾値との大小関係を判定し、判定結果に基づいてチャネル割当て処理を行い、上り回線優先度テーブル１００９あるいは下り回線優先度テーブル１０１０を更新する。また、呼接続要求時以外のタイミングであっても、チャネル割当て回路１０１３は、タイミング制御回路１０１１から指示されたタイミングで上り回線優先度テーブル１００９あるいは下り回線優先度テーブル１０１０を随時更新する。
【０１７３】
次に、本実施の形態に係る優先度テーブル更新処理の手順について図１３のフロー図を用いて説明する。なお、図１３は、所定フレーム周期経過後に優先度テーブル更新処理を行う場合を示す。
【０１７４】
ＳＴ１１０１でタイミング制御回路１０１１が所定フレーム周期を経過したことを検知すると、ＳＴ１１０２で、スロット選択回路１０１２が検索対象スロットを選択し、ＳＴ１１０３で、チャネル割当て回路１０１３が受信干渉電力を得る。
【０１７５】
なお、上り回線の受信干渉電力は基地局装置１０００の干渉電力測定回路１００８にて測定され、チャネル割当て回路１０１３に出力される。一方、下り回線の受信干渉電力は通信端末装置１００にて測定され、測定結果が干渉電力情報として基地局装置１０００に送信される。そして、基地局装置１０００の分離回路１００７にて干渉電力情報が分離され、チャネル割当て回路１０１３に出力される。
【０１７６】
そして、ＳＴ１１０４で、チャネル割当て回路１０１３が検索対象スロットの受信干渉電力と閾値との大小関係を判定し、受信干渉電力が閾値以下の場合にはＳＴ１１０５で、チャネル割当て回路１０１３が検索対象スロットの優先度関数を上げる。一方、受信干渉電力が閾値より大きい場合にはＳＴ１１０６で、チャネル割当て回路１０１３が検索対象スロットの優先度関数を下げる。
【０１７７】
そして、ＳＴ１１０７で、全てのスロットに対して上記ＳＴ１１０２からＳＴ１１０６のステップを繰り返す。
【０１７８】
このように、一定フレーム周期毎に優先度テーブル更新処理を行うことにより、優先度テーブルの内容を随時更新することができるので、基地局装置は、現状の回線品質を反映した優先度テーブルの内容に基づいてチャネル割当てを行うことができる。
【０１７９】
ここで、終呼やイントラセルハンドオーバ要求等の呼の接続状況の変化に伴い、伝搬路品質やチャネル割当て可否判定が変化する。従って、現状の回線品質を優先度テーブルに反映させるためには、これらのタイミングで優先度テーブル更新処理を行う必要がある。
【０１８０】
この場合、タイミング制御回路１０１１は、終呼やイントラセルハンドオーバ要求が生じた際、スロット選択回路１０１２及びチャネル割当て回路１０１３に対して優先度テーブル更新処理開始を指示する。スロット選択回路１０１２及びチャネル割当て回路１０１３は、上記図１３のＳＴ１１０２からＳＴ１１０７と同様の処理を行う。
【０１８１】
これにより、呼の接続状況に伴って変化した回線品質に優先度テーブルの内容を対応させることができる。
【０１８２】
なお、本実施の形態では、伝搬路品質推定値として受信干渉電力を用いて説明したが、本発明はこれに限られず他の伝搬路品質推定値を用いても同様の効果を得ることができる。
【０１８３】
（実施の形態５）
ここで、ＣＤＭＡ（Ｃｏｄｅ  Ｄｉｖｉｓｉｏｎ  Ｍｕｌｔｉｐｌｅ  Ａｃｃｅｓｓ）／ＴＤＤ（Ｔｉｍｅ  Ｄｉｖｉｓｉｏｎ  Ｄｕｐｌｅｘ）通信方式の場合、チャネルはタイムスロット（以下、単に「スロット」という）及びコードで規定され、複数の呼をコード多重することができる。
【０１８４】
そして、占有スロットを多くして各スロットにおけるコード多重数を少なくするスロットプーリングよりも、各スロットにおけるコード多重数を多くして占有スロットを少なくするコードプーリングの方が、周波数利用効率の面で有効であることが知られている。
【０１８５】
実施の形態５では、ＣＤＭＡ／ＴＤＤ通信方式の場合において、コードプーリングの状態を維持することができる優先度テーブル更新処理について説明する。
【０１８６】
図１４は、本実施の形態に係る優先度テーブル更新処理の手順を示すフロー図である。なお、図１４は、一定フレーム周期毎に優先度テーブル更新処理を行う場合を示す。
【０１８７】
ＳＴ１２０１でタイミング制御回路１０１１が所定フレーム周期を経過したことを検知すると、ＳＴ１２０２で、スロット選択回路１０１２が検索対象スロットを選択する。
【０１８８】
次に、ＳＴ１２０３及びＳＴ１２０４で、チャネル割当て回路１０１３が、検索対象スロットのコード多重数を測定し、コード多重数と閾値との大小関係を判定する。
【０１８９】
そして、コード多重数が閾値以下の場合、ＳＴ１２０５で、チャネル割当て回路１０１３が検索対象スロットの優先度関数を下げる。一方、コード多重数が閾値より大きい場合、ＳＴ１２０６で、チャネル割当て回路１０１３が検索対象スロットの優先度関数を上げる。
【０１９０】
そして、ＳＴ１２０７で、全てのスロットに対して上記ＳＴ１２０２からＳＴ１２０６のステップを繰り返す。
【０１９１】
このように、コード多重数が多いスロットの優先度関数を上げることにより、チャネル割当て時にコード多重数が多いスロットからチャネル検索を行うことになるので、コードプーリングの状態を維持することができる。
【０１９２】
なお、本実施の形態では、一定フレーム周期毎に優先度テーブル更新処理を行う場合について説明したが、実施の形態４で説明したように、終呼やイントラセルハンドオーバ要求等の呼の接続状況の変化があったタイミングで優先度テーブル更新処理を開始してもよい。
【０１９３】
（実施の形態６）
ここで、ＣＤＭＡ／ＴＤＤ通信方式の場合、各スロットに多重することができるコード数は伝送レートによって変化するため、マルチレート伝送方式の場合に効率の良いチャネルの棲み分けを実現するためには伝送レートを考慮する必要がある。
【０１９４】
実施の形態６では、この点に着目し、ＣＤＭＡ／ＴＤＤ通信方式において、伝送レート毎に閾値及び優先度関数を設定し、要求された伝送レートに関して、優先度関数が高い順にスロットを選択してチャネル検索を行う場合について説明する。
【０１９５】
図１５は、本実施の形態に係る基地局装置の構成を示すブロック図である。なお、図１５の基地局装置１３００において、図１２の基地局装置１０００と共通する構成部分には図１２と同一符号を付し説明を省略する。また、本実施の形態に係る通信端末装置は、実施の形態４に示した図１１の通信端末装置９００の構成と同一であるので説明を省略する。
【０１９６】
図１５の基地局装置１３００は、図１２の基地局装置１０００と比較して、上り回線優先度テーブル１００９、下り回線優先度テーブル１０１０、タイミング制御回路１０１１、スロット選択回路１０１２及びチャネル割当て回路１０１３を削除し、上り回線優先度テーブル１３０１、下り回線優先度テーブル１３０２、スロット選択回路１３０３及びチャネル割当て回路１３０４を追加した構成を採る。
【０１９７】
分離回路１００７は、復調回路１００６の出力信号から干渉電力情報を分離してチャネル割当て回路１３０４に出力する。また、分離回路１００７は、呼接続要求があった時に所望の伝送レートを示す信号を分離してスロット選択回路１３０３及びチャネル割当て回路１３０４に出力する。
【０１９８】
干渉電力測定回路１００８は、逆拡散回路１００５の出力信号から上り回線の受信干渉電力を測定し、チャネル割当て回路１３０４に測定結果を出力する。
【０１９９】
上り回線優先度テーブル１３０１は、伝送レート毎に閾値を記録し、スロット毎、伝送レート毎に上り回線の優先度関数を記録する。下り回線優先度テーブル１３０２は、伝送レート毎に閾値を記録し、スロット毎、伝送レート毎に下り回線の優先度関数を記録する。
【０２００】
スロット選択回路１３０３は、分離回路１００７から伝送レートを示す信号を入力した場合、上り回線優先度テーブル１３０１あるいは下り回線優先度テーブル１３０２に記録された当該伝送レートの優先度関数に基づいて、検索対象スロットを選択する。
【０２０１】
チャネル割当て回路１３０４は、干渉電力測定回路１００８あるいは分離回路１００７から検索対象スロットの受信干渉電力を入力し、チャネル検索を行う。具体的には、検索対象スロットの受信干渉電力と上り回線優先度テーブル１３０１あるいは下り回線優先度テーブル１３０２に記録された当該伝送レートの閾値との大小関係を判定し、検索対象スロットの受信干渉電力が閾値以下の場合、チャネルを当該検索対象スロットに割当て、検索対象スロットの受信干渉電力が閾値より大きい場合、スロット選択回路１３０３に対して次の検索対象スロットを要求する。
【０２０２】
なお、上り回線のチャネル割当てを行う場合、基地局装置１３００の干渉電力測定回路１００８が検索対象スロットの受信干渉電力を測定し、測定結果をチャネル割当て回路１３０４に出力する。一方、下り回線のチャネル割当てを行う場合、通信端末装置９００が検索対象スロットの受信干渉電力を測定し、測定結果を干渉電力情報として基地局装置１３００に送信する。そして、基地局装置１３００の分離回路１００７が、受信した干渉電力情報をチャネル割当て回路１３０４に出力する。
【０２０３】
そして、チャネル割当て回路１３０４は、チャネル割当て後等に上り回線優先度テーブル１３０１、下り回線優先度テーブル１３０２の更新を行う。チャネル検索の結果に基づいて優先度関数の更新を行うことにより、効率的なチャネル割当てを行うことができる。
【０２０４】
さらに、チャネル割当て回路１３０４は、割当てたスロットを示すチャネル割当て情報を多重回路１００１あるいは送受信回路１００４に出力する。
【０２０５】
図１６は、上り回線優先度テーブル１３０１の内部構成を示す図である。図１６に示すように、上り回線優先度テーブル１３０１は、伝送レート毎に閾値を記録し、スロット毎、伝送レート毎に上り回線の優先度関数を記録する。なお、図１６において、（♯０〜１４）は、それぞれスロット番号を示す。例えば、図１６の場合、伝送レート８ｋｂｐｓの閾値は「２．５ｄＢ」であり、伝送レート８ｋｂｐｓ、スロット♯０の上り回線の優先度関数は「０．２５」である。なお、下り回線優先度テーブル１３０２も、上り回線優先度テーブル１３０１と同様、伝送レート毎に閾値を記録し、スロット毎、伝送レート毎に下り回線の優先度関数を記録する。
【０２０６】
次に、上記構成の基地局装置１３００における上り回線のチャネル割当て方法について、図１７のフロー図を用いて説明する。
【０２０７】
まず、呼接続要求が有ると、分離回路１００７からタイミング制御回路１３０３及びチャネル割当て回路１３０４の伝送レートを示す信号が出力され、タイミング制御回路１３０３が当該伝送レートの優先度関数を選択し、チャネル割当て回路１３０４が当該伝送レートの閾値を選択する（ＳＴ１４０１）。次に、スロット選択回路１３０３が当該伝送レートにおいて検索対象スロットを選択し（ＳＴ１４０２）、チャネル割当て回路１３０４が受信干渉電力を得て（ＳＴ１４０３）、受信干渉電力と当該伝送レートの閾値との大小関係を判定する（ＳＴ１４０４）。
【０２０８】
ＳＴ１４０４の判定において、受信干渉電力が閾値以下である場合、チャネル割当て回路１３０４は、上り回線優先度テーブル１３０１における当該伝送レートの検索対象スロットの優先度関数を増加させ（ＳＴ１４０５）、検索対象スロットにチャネルを割当てる（ＳＴ１４０６）。
【０２０９】
一方、ＳＴ１４０４の判定において、受信干渉電力が閾値より大きい場合、チャネル割当て回路１３０４は、上り回線優先度テーブル１３０１の検索対象スロットの優先度関数を減少させ（ＳＴ１４０７）、スロット選択回路１３０３は検索対象スロットを候補から外す（ＳＴ１４０８）。
【０２１０】
そして、未検索のスロットが存在する場合にはＳＴ１４０２に戻る（ＳＴ１４０９）。一方、ＳＴ１４０９において、未検索のグループが存在しない場合、基地局装置は呼損とする（ＳＴ１４１０）。
【０２１１】
なお、下り回線についても、同様の方法によりのチャネル割当てを行うことができる。
【０２１２】
上記図１６の場合、伝送レート１２．２ｋｂｐｓにおけるスロットの優先度関数は、♯５が「０．８１」で最も高いから、スロット選択回路１３０３は、まず♯５を検索対象スロットとして選択する。
【０２１３】
そして、チャネル割当て回路１３０４におけるチャネル検索の結果、♯５の受信干渉電力が所定の閾値（２．９ｄＢ）より大きい場合、スロット選択回路１３０３は、次に優先度関数が高い♯１２を検索対象スロットとして選択する。
【０２１４】
このように、伝送レート毎に閾値を設定し、所望の伝送レートの中で優先度関数が高い順にスロットを選択してチャネル検索を行うことにより、ＣＤＭＡ／ＴＤＤ通信方式においてマルチレート伝送方式の場合に効率良くチャネル棲み分けを行うことができる。
【０２１５】
（実施の形態７）
実施の形態７では、ＣＤＭＡ／ＴＤＤ通信方式において自然とコードプーリングとなるチャネル棲み分けを実現するため、優先度関数及びコード多重数を考慮して検索するスロットの順序を決定する場合について説明する。
【０２１６】
図１８は、本実施の形態に係る基地局装置の構成を示すブロック図である。なお、図１８の基地局装置１５００において、図１２の基地局装置１０００と共通する構成部分には図１２と同一符号を付し説明を省略する。また、本実施の形態に係る通信端末装置は、実施の形態４に示した図１１の通信端末装置９００の構成と同一であるので説明を省略する。
【０２１７】
図１８の基地局装置１５００は、図１２の基地局装置１０００と比較して、上り回線優先度テーブル１００９、下り回線優先度テーブル１０１０、タイミング制御回路１０１１、スロット選択回路１０１２及びチャネル割当て回路１０１３を削除し、上り回線優先度テーブル１５０１、下り回線優先度テーブル１５０２、スロット選択回路１５０３及びチャネル割当て回路１５０４を追加した構成を採る。
【０２１８】
分離回路１００７は、復調回路１００６の出力信号から干渉電力情報を分離してチャネル割当て回路１５０４に出力する。干渉電力測定回路１００８は、逆拡散回路２０５の出力信号から上り回線の受信干渉電力を測定し、チャネル割当て回路１５０４に測定結果を出力する。
【０２１９】
上り回線優先度テーブル１５０１は、スロット毎に上り回線の優先度関数及びコード多重数を記録する。下り回線優先度テーブル１５０２は、スロット毎に下り回線の優先度関数及びコード多重数を記録する。
【０２２０】
スロット選択回路１５０３は、上り回線優先度テーブル１５０１あるいは下り回線優先度テーブル１５０２に記録された優先度関数及びコード多重数に基づいて検索対象スロットを選択する。
【０２２１】
チャネル割当て回路１５０４は、干渉電力測定回路１００８あるいは分離回路１００７から検索対象スロットの受信干渉電力を入力し、チャネル検索を行う。具体的には、検索対象スロットの受信干渉電力と閾値との大小関係を判定し、検索対象スロットの受信干渉電力が閾値以下の場合、チャネルを当該検索対象スロットに割当て、検索対象スロットの受信干渉電力が閾値より大きい場合、スロット選択回路１５０３に対して次の検索対象スロットを要求する。
【０２２２】
なお、上り回線のチャネル割当てを行う場合、基地局装置１５００の干渉電力測定回路１００８が検索対象スロットの受信干渉電力を測定し、測定結果をチャネル割当て回路１５０４に出力する。一方、下り回線のチャネル割当てを行う場合、通信端末装置９００が検索対象スロットの受信干渉電力を測定し、測定結果を干渉電力情報として基地局装置１５００に送信する。そして、基地局装置１５００の分離回路１００７が、受信した干渉電力情報をチャネル割当て回路１５０４に出力する。
【０２２３】
そして、チャネル割当て回路１５０４は、チャネル割当て後等に上り回線優先度テーブル１５０１、下り回線優先度テーブル１５０２の更新を行う。チャネル検索の結果に基づいて優先度関数の更新を行うことにより、効率的なチャネル割当てを行うことができる。
【０２２４】
さらに、チャネル割当て回路１５０４は、割当てたスロットを示すチャネル割当て情報を多重回路１００１あるいは送受信回路１００４に出力する。
【０２２５】
図１９は、上り回線優先度テーブル１５０１の内部構成を示す図である。図１９において、（♯０〜１４）は、それぞれスロット番号を示す。例えば、図１９の場合、スロット♯０の上り回線の優先度関数は「０．２５」であり、コード多重数は「１」である。なお、下り回線優先度テーブル１５０２も、上り回線優先度テーブル１５０１と同様、スロット毎に下り回線の優先度関数及びコード多重数を記録する。
【０２２６】
次に、上記構成の基地局装置１５００における上り回線のチャネル割当て方法について、図２０のフロー図を用いて説明する。
【０２２７】
まず、スロット選択回路１５０３が、上り回線優先度テーブル１５０１に記録されている各スロットのコード多重数を参照し、コード多重数毎にスロットをグループ化する（ＳＴ１６０１）。そして、スロット選択回路１５０３は、未検索のグループの中でコード多重数が最大のものを優先グループとして設定する（ＳＴ１６０２）。
【０２２８】
次に、スロット選択回路１５０３は、上り回線優先度テーブル１５０１に記録されている各スロットの優先度関数を参照し、優先グループに所属するスロット（以下、「選択候補スロット」という）の中で最も優先度関数が高いものを検索対象スロットとして選択する（ＳＴ１６０３）。
【０２２９】
次に、干渉電力測定回路１００８が検索対象スロットの受信干渉電力を測定し（ＳＴ１６０４）、チャネル割当て回路１５０４が受信干渉電力と閾値との大小関係を判定する（ＳＴ１６０５）。
【０２３０】
ＳＴ１６０５の判定において、受信干渉電力が閾値以下である場合、チャネル割当て回路１５０４は、上り回線優先度テーブル１５０１の検索対象スロットの優先度関数を増加させ（ＳＴ１６０６）、検索対象スロットにチャネルを割当てる（ＳＴ１６０７）。
【０２３１】
一方、ＳＴ１６０５の判定において、受信干渉電力が閾値より大きい場合、チャネル割当て回路１５０４は、上り回線優先度テーブル１５０１の検索対象スロットの優先度関数を減少させ（ＳＴ１６０８）、スロット選択回路１５０３は検索対象スロットを候補から外す（ＳＴ１６０９）。
【０２３２】
そして、優先グループに未だ選択候補スロットが存在する場合にはＳＴ１６０３に戻る（ＳＴ１６１０）。一方、ＳＴ１６１０において、優先グループに選択候補スロットが存在しない場合、スロット選択回路１５０３は当該グループを優先グループから外す（ＳＴ１６１１）。
【０２３３】
そして、未検索のグループが存在する場合にはＳＴ１６０２に戻る（ＳＴ１６１２）。一方、ＳＴ１６１２において、未検索のグループが存在しない場合、基地局装置は呼損とする（ＳＴ１６１３）。
【０２３４】
なお、下り回線についても、同様の方法によりのチャネル割当てを行うことができる。
【０２３５】
上記図１９の場合、最大のコード多重数は「６」であり、優先グループに所属する選択候補スロットは♯１、♯５及び♯１２である。選択候補スロット♯１、♯５及び♯１２の優先度関数は、それぞれ「０．５６」、「０．７３」及び「０．６１」であるから、スロット選択回路１５０３は、まず♯５を検索対象スロットとして選択する。
【０２３６】
そして、チャネル割当て回路１５０４におけるチャネル検索の結果、♯５の受信干渉電力が所定の閾値より大きい場合、スロット選択回路１５０３は、次に♯１２を検索対象スロットとして選択する。
【０２３７】
このように、コード多重数が最大のスロットの中で優先度関数が高い順にチャネル検索を行うことにより、ＣＤＭＡ／ＴＤＤ通信方式において自然とコードプーリングとなるチャネル棲み分けを行うことができる。
【０２３８】
さらに、コード多重数が大きいスロットは、周辺基地局において通信に用いられている可能性が低く、受信干渉電力が閾値以下である可能性が高いため、コード多重数が大きいスロットからチャネル検索を行うことにより、スロットが割当てられるまでの時間の短縮、及び、演算量の削減を図ることができる。
【０２３９】
（実施の形態８）
図２１は、本発明の実施の形態８に係る基地局装置の構成を示すブロック図である。なお、図２１に示す基地局装置１７００において、図１８に示した基地局装置１５００と共通する構成部分には、図１８と同一符号を付して説明を省略する。また、本実施の形態に係る基地局装置の通信相手となる通信端末装置の構成は、図１１と同様であるので省略する。
【０２４０】
図２１に示す基地局装置１７００は、図１８に示した基地局装置１７００と比較して、選択順位算出回路１７０１を追加する構成を採り、スロット選択回路１５０３の動作内容が異なる。
【０２４１】
選択順位算出回路１７０１は、優先度関数ｖｎ及びコード多重数Ｍｎを媒介変数（パラメータ）として、以下に示す式（１）より選択順位関数ｐｎを算出する。なお、式（１）において、ｎはスロット番号であり、αは重み付け係数である。
【０２４２】
ｐｎ＝ｖｎ＋αＭｎ            …（１）
スロット選択回路１５０３は、未だ選択されていないスロットの中で選択順位関数ｐｎが最も高いものを検索対象スロットとして選択する。
【０２４３】
このように、各スロットの優先度関数及び各スロットのコード多重数を媒介変数とする選択順位関数が高い順にチャネル検索を行うことにより、ＣＤＭＡ／ＴＤＤ通信方式において自然とコードプーリングとなるチャネル棲み分けを行うことができる。
【０２４４】
（実施の形態９）
ここで、終呼等により各スロットにおけるコード多重状況は変化する。これに対し、各チャネルにおいて一度割当てられたスロットが終呼まで変らないとするとコードプーリングの状態が崩れてしまう。
【０２４５】
実施の形態９では、この点を考慮し、ＣＤＭＡ／ＴＤＤ通信方式において、コードプーリングの状態を維持するように状況の変化に対応して各チャネルの割当てスロットを変える場合について説明する。具体的には、これまで干渉を受けて劣化した呼の通信品質を改善するために用いられてきたイントラセルハンドオーバ（以下、「ＩＨＯ」という）をコードプーリング実現のために用いる。
【０２４６】
図２２は、本実施の形態に係る基地局装置の構成を示すブロック図である。なお、図２２の基地局装置１８００において、図１２の基地局装置１０００と共通する構成部分には図１２と同一符号を付し説明を省略する。また、本実施の形態に係る通信端末装置は、実施の形態４に示した図１１の通信端末装置９００の構成と同一であるので説明を省略する。
【０２４７】
図２２の基地局装置１８００は、図１２の基地局装置１０００と比較して、上り回線優先度テーブル１００９、下り回線優先度テーブル１０１０、タイミング制御回路１０１１、スロット選択回路１０１２及びチャネル割当て回路１０１３を削除し、上り回線優先度テーブル１８０１、下り回線優先度テーブル１８０２、タイミング制御回路１８０３、スロット選択回路１８０４及びＩＨＯ実行回路１８０５を追加した構成を採る。
【０２４８】
分離回路１００７は、復調回路１００６の出力信号から干渉電力情報を分離してＩＨＯ実行回路１８０５に出力する。干渉電力測定回路１００８は、逆拡散回路１００５の出力信号から上り回線の受信干渉電力を測定し、ＩＨＯ実行回路１８０５に測定結果を出力する。
【０２４９】
上り回線優先度テーブル１８０１は、スロット毎に上り回線の優先度関数及びコード多重数を記録する。下り回線優先度テーブル１８０２は、スロット毎に下り回線の優先度関数及びコード多重数を記録する。
【０２５０】
タイミング制御回路１８０３は、スロット選択回路１８０４及びＩＨＯ実行回路１８０５に対してＩＨＯ開始を指示する。タイミング制御回路１８０３がＩＨＯ開始を指示するタイミングとして、呼接続要求が有ったタイミング、終呼が有ったタイミング、一定フレーム周期経過後等が挙げられ、それぞれ特有の効果を有する。
【０２５１】
呼接続要求が有ったタイミングでＩＨＯを行うことにより、当該呼の要求するコード多重数及び占有スロット数を考慮することができるので、呼を収容するために最も直接的にＩＨＯを行うことができる。例えば、上り１コード１スロット、下り８コード３スロットの呼接続要求があった場合、その要求を満たすリソースを確保するまでＩＨＯを行う。従って、呼損率を軽減する効果を得ることができる。
【０２５２】
また、終呼が有ったタイミングでＩＨＯを行うことにより、終呼の有ったスロットに空きができているので、ＩＨＯの成功確率が高いという効果を得ることができる。
【０２５３】
ただし、呼接続要求のタイミングあるいは終呼が有ったタイミングでＩＨＯを行うと、長時間に渡って優先度テーブルの内容が更新されない場合がある。この場合、他セルのスロット割当て状態が変化してしまうと、現状の回線品質を反映しない優先度テーブルの内容に基づいてＩＨＯを行ってしまうこととなる。
【０２５４】
これに対し、一定フレーム周期でＩＨＯを行うことにより、優先度テーブルの内容を随時更新することができるので、上記の問題を解決することができる。
【０２５５】
スロット選択回路１８０４は、タイミング制御回路１８０３から指示されたタイミングで、上り回線優先度テーブル１８０１あるいは下り回線優先度テーブル１８０２に記録された優先度関数及びコード多重数に基づいて、ＩＨＯにおいて移動対象となるチャネル（以下、「移動対象チャネル」という）及び検索対象スロットを選択する。
【０２５６】
移動対象チャネルの選択方法として、コード多重数に基づいて１コードのチャネルが１つのみ割当てられているスロットの当該チャネルを選択する方法、あるいは、優先度関数値が最も低いスロットに割当てられたチャネルを選択する方法等がある。また、検索対象スロットの選択方法として、優先度関数値が高い順にスロットを選択する方法、あるいは、コード多重数が多い順にスロットを選択する方法等がある。
【０２５７】
ＩＨＯ実行回路１８０５は、タイミング制御回路１８０３から指示されたタイミングで検索対象スロットに対してチャネル検索を行い、コードプーリングの状態を維持するようにＩＨＯを行う。
【０２５８】
次に、ＩＨＯ実行回路１８０５のＩＨＯにおけるチャネル検索について説明する。
【０２５９】
上り回線のチャネル検索を行う場合、基地局装置１８００の干渉電力測定回路１００８が検索対象スロットの受信干渉電力を測定し、測定結果をＩＨＯ実行回路１８０５に出力する。一方、下り回線のチャネル検索を行う場合、通信端末装置１２００が検索対象スロットの受信干渉電力を測定し、測定結果を干渉電力情報として基地局装置１８００に送信する。そして、基地局装置１８００の分離回路１００７が、受信した干渉電力情報をＩＨＯ実行回路１８０５に出力する。
【０２６０】
そして、ＩＨＯ実行回路１８０５は、検索対象スロットの受信干渉電力と閾値との大小関係を判定し、検索対象スロットの受信干渉電力が閾値以下の場合、当該スロットをハンドオーバ先スロットとして決定する。一方、検索対象スロットの受信干渉電力が閾値より大きい場合、スロット選択回路１８０４に対して次の検索対象スロットを要求する。
【０２６１】
次に、ＩＨＯ実行回路１８０５が行うＩＨＯについて、図２３の各スロットにおけるコード多重状況の一例を示す図を用いて具体的に説明する。図２３（ａ）及び図２３（ｂ）において、横軸はタイムスロット、縦軸は多重されているチャネルである。
【０２６２】
また、上向き矢印は上り回線を示し、下向き矢印は下り回線を示す。すなわち、図２３（ａ）では、スロット♯０、♯２〜♯６、♯８〜♯１１、♯１３、♯１４には下り回線チャネルが割当てられ、スロット♯１、♯７、♯１２には上り回線チャネルが割当てられている。そして、スロット♯８のチャネル３０１は、１ユーザが複数のコードを使用してするマルチコード伝送のチャネルを示している。
【０２６３】
図２３（ａ）に示す状態から下り回線のＩＨＯを行うものとし、スロット選択回路１８０４が移動対象チャネルとしてスロット♯２のチャネル３０２を選択し、検索対象スロットとしてスロット♯０を選択したものとする。
【０２６４】
この場合、ＩＨＯ実行回路１８０５は、スロット♯０についてチャネル検索を行い、スロット♯０に空きがあると判断すればチャネル３０２をスロット♯０に移動させる。
【０２６５】
図２３（ｂ）は、図２３（ａ）の状態からチャネル３０２をスロット♯０に移動させた後のコード多重状況を示す図である。図２３（ｂ）に示すように、ＩＨＯによって、スロット♯２にはチャネルが全く割当てられていない状態となる。
【０２６６】
従って、この場合、スロット♯２について、上り回線のチャネルを割当てる、あるいは、チャネル３０１のようなマルチコード伝送のチャネルを割当てる等を行うことができ、少ないコード多重数で多くのスロットを占有する図２３（ａ）のような場合においてチャネル利用効果の改善を図ることができる。
【０２６７】
次に、ＩＨＯ実行回路１８０５が行うＩＨＯの手順について、図２４のフロー図を用いて説明する。
【０２６８】
ＳＴ２００１でＩＨＯを実行するタイミングとなった場合、ＳＴ２００２で、スロット選択回路１８０４から移動対象チャネル及び検索対象スロットを示す情報を入力する。
【０２６９】
そして、ＳＴ２００３で、スロット選択回路１８０４から入力した情報の内容を判断し、移動対象チャネルが存在しなかった場合、以下の処理を行わずに終了する。一方、ＳＴ２００３で、移動対象チャネルが存在した場合、ＳＴ２００４で、検索対象スロットに対してチャネル検索を行う。
【０２７０】
ＳＴ２００５で、チャネル検索の結果からハンドオーバ先スロットの有無を判断し、ハンドオーバ先スロットが存在しなかった場合、以下の処理を行わずに終了する。一方、ＳＴ２００５で、ハンドオーバ先スロットが存在した場合、ＳＴ２００６で、移動対象チャネルをハンドオーバ先スロットに移動する。
【０２７１】
さらに、ＳＴ２００７で、ハンドオーバ先スロットを示すチャネル割当て情報を多重回路２０１あるいは送受信回路２０４に出力する。
【０２７２】
そして、ＳＴ２００８で、さらに他のチャネルに関してＩＨＯの処理を続行する場合には、上記ＳＴ２００４からＳＴ２００７のステップを繰り返す。
【０２７３】
このように、所定のタイミングで各スロットにおけるコード多重状況を監視し、優先度関数値等に基づいてＩＨＯを行うことにより、コードプーリングの状態を維持し、チャネル利用効果の改善を図ることができる。チャネル棲み分け方法がＡＲＰ（Ａｕｔｏｎｏｍｏｕｓ  Ｒｅｕｓｅ  Ｐａｒｔｉｔｉｏｎｉｎｇ）の場合には、リユースパーティショニングを再構成する効果が得られる。
【０２７４】
なお、上記各実施の形態では、基地局装置が上り回線優先度テーブルと下り回線優先度テーブルとを独立して所有する場合について説明したが、本発明はこれに限られず、例えば、上下回線がペアで割当てられている場合等では、基地局装置は片方の回線優先度テーブルを所有すれば足りる。
【０２７５】
また、上記各実施の形態では、基地局装置で優先度テーブル更新処理を行う場合について説明したが、例えば無線ネットワークコントローラ（ＲＮＣ）で優先度テーブル更新処理を行うこともできる。
【０２７６】
以上の説明から明らかなように、本発明によれば、チャネル割当てにおいて、終呼のあったスロットを優先的に検索することにより、チャネル棲み分けを促進すると共に効率の良いチャネル割当てができる。また、所定のタイミングで優先度テーブルの内容を随時更新することができるので、基地局装置は、現状の回線品質を反映した優先度テーブルの内容に基づいてチャネル割当てを行うことができる。
【０２７７】
【発明の効果】
以上説明したように、本発明によれば、終呼のあったチャネルを優先的に検索して、効率の良いチャネル検索を行うこと、及び、一定周期経過後や終呼が有ったタイミング等、チャネル割当てを行うとき以外のタイミングでも優先度テーブルの更新処理を行うことにより、チャネル棲み分けを促進すると共に効率の良いチャネル検索ができ、現状の回線品質を反映した優先度テーブルの内容に基づいてチャネル割当てを行うことができる。
【図面の簡単な説明】
【図１】本発明の実施の形態１に係る基地局装置の通信相手となる通信端末装置の構成を示すブロック図
【図２】本発明の実施の形態１に係る基地局装置の構成を示すブロック図
【図３】本発明の実施の形態１に係る基地局装置における優先度テーブルの内部構成の例を示す図
【図４】本発明の実施の形態１に係るチャネル割当て方法の例を示すフロー図
【図５】本発明の実施の形態２に係る基地局装置における優先度テーブルの内部構成の例を示す図
【図６】本発明の実施の形態３に係る基地局装置の構成を示すブロック図
【図７】本発明の実施の形態３に係るチャネル割当て処理を示すフロー図
【図８】本発明の実施の形態３に係る上り回線のチャネル割当て処理を示すフロー図
【図９】本発明の実施の形態３に係る下り回線のチャネル割当て処理を示すフロー図
【図１０】本発明の実施の形態３に係るハンドオーバ時のチャネル割当て優先度関数の更新処理を示すフロー図
【図１１】本発明の実施の形態４に係る基地局装置の通信相手となる通信端末装置の構成を示すブロック図
【図１２】本発明の実施の形態４に係る基地局装置の構成を示すブロック図
【図１３】本発明の実施の形態４に係る優先度テーブル更新処理の手順を示すフロー図
【図１４】本発明の実施の形態５に係る優先度テーブル更新処理の手順を示すフロー図
【図１５】本発明の実施の形態６に係る基地局装置の構成を示すブロック図
【図１６】本発明の実施の形態６に係る上り回線優先度テーブルの内部構成を示す図
【図１７】本発明の実施の形態６に係る基地局装置における上り回線のチャネル割当て方法を示すフロー図
【図１８】本発明の実施の形態７に係る基地局装置の構成を示すブロック図
【図１９】本発明の実施の形態７に係る上り回線優先度テーブルの内部構成を示す図
【図２０】本発明の実施の形態７に係る基地局装置における上り回線のチャネル割当て方法を示すフロー図
【図２１】本発明の実施の形態８に係る基地局装置の構成を示すブロック図
【図２２】本発明の実施の形態９に係る基地局装置の構成を示すブロック図
【図２３】各スロットにおけるコード多重状況の一例を示す図
【図２４】本発明の実施の形態９に係る基地局装置におけるＩＨＯの手順を示すフロー図
【図２５】従来のＴＤＭＡの通信方式におけるチャネル割当て方法を示すフロー図
【符号の説明】
２００、４００、１０００、１３００、１５００、１７００、１８００  基地局装置
２０４、１００７  分離回路
２０５  伝搬路測定回路
２０６、４０４、１０１３、１３０４、１５０４  チャネル割当て回路
２０７  優先度テーブル
２０８  テーブル更新回路
４０２、１００９、１３０１、１５０１、１８０１  上り優先度テーブル
４０３、１０１０、１３０２、１５０２、１８０２  下り優先度テーブル
１００３  拡散回路
１００５  逆拡散回路
１０１１、１８０３  タイミング制御回路
１０１２、１３０３、１５０３、１８０４  スロット選択回路
１７０１  選択順位算出回路
１８０５  ＩＨＯ実行回路
【図１】
0003595778.tif 000002
【図２】
0003595778.tif 000003
【図３】
0003595778.tif 000004
【図４】
0003595778.tif 000005
【図５】
0003595778.tif 000006
【図６】
0003595778.tif 000007
【図７】
0003595778.tif 000008
【図８】
0003595778.tif 000009
【図９】
0003595778.tif 000010
【図１０】
0003595778.tif 000011
【図１１】
0003595778.tif 000012
【図１２】
0003595778.tif 000013
【図１３】
0003595778.tif 000014
【図１４】
0003595778.tif 000015
【図１５】
0003595778.tif 000016
【図１６】
0003595778.tif 000017
【図１７】
0003595778.tif 000018
【図１８】
0003595778.tif 000019
【図１９】
0003595778.tif 000020
【図２０】
0003595778.tif 000021
【図２１】
0003595778.tif 000022
【図２２】
0003595778.tif 000023
【図２３】
0003595778.tif 000024
【図２４】
0003595778.tif 000025
【図２５】
0003595778.tif 000026